(57)【要約】【課題】組立性およびサービス性の問題を解消したダクト型空気調和機を提供する。【解決手段】吹出開口１１１Ａ，１１１Ｂを囲むように吹出ダクト取付枠１１２が外側に取り付けられた前面板１１０と、前面板１１０の内側にファンパネルを介して装着されたファン機構と、吸込開口１２１を囲むように吸込ダクト取付枠１２２が外側に取り付けられた背面板１２０と、背面板１２０の内側においてファン機構と対面するよう装着された熱交換機３００とを備える。ファン機構は、ファンパネルを２個に分割したファンパネル４１０と、各分割ファンパネル４１０に取り付けられたモータ４３０と、ファンパネル４１０の内側に位置しモータ４３０により駆動されるファン４４０とを有する２個のファンユニット４００Ａ，４００Ｂからなる。それぞれのファンパネル４１０を前面板１１０の内側に装着することで、それぞれのファンユニット４００Ａ，４００Ｂが前面板１１０の内側に取り付けられるようにする。【選択図】図１
2011122780.tif 000002
【特許請求の範囲】
【請求項１】
吹出開口と吸込開口を有する筐体と、前記吹出開口を囲むように吹出ダクト取付枠が外側に取り付けられた前記筐体の前面板と、該前面板の内側にファンパネルを介して装着されたファン機構と、前記吸込開口を囲むように吸込ダクト取付枠が外側に取り付けられた前記筐体の背面板と、該背面板の内側に装着された熱交換機とを少なくとも備えたダクト型空気調和機において、
前記ファン機構は、前記ファンパネルを複数個に分割した分割ファンパネルと、該各分割ファンパネルに取り付けられたモータと、前記分割ファンパネルの内側に位置し前記モータにより駆動されるファンとを有する複数のファンユニットからなり、前記それぞれの分割ファンパネルを前記前面板の内側に装着することで、前記複数のファンユニットが前記前面板の前記吹出開口の内側に取り付けられることを特徴とするダクト型空気調和機。
【請求項２】
請求項１に記載のダクト型空気調和機において、
前記複数のファンユニットは、前記モータや前記ファン等の構成部品が同一であることを特徴とするダクト型空気調和機。
【請求項３】
請求項１または２に記載のダクト型空気調和機において、
前記各ファンユニットの前記モータは、前記分割ファンパネルの背面にモータ支持体により取り付けられていることを特徴とするダクト型空気調和機。
【請求項４】
請求項１乃至３のいずれか１つに記載のダクト型空気調和機において、
前記吹出開口を吸込開口に置き換え、前記吸込開口を吹出開口に置き換え、前記吹出ダクト取付枠を吸込ダクト取付枠に置き換え、前記吸込ダクト取付枠を吹出ダクト取付枠に置き換えたことを特徴とするダクト型空気調和機。
【発明の詳細な説明】
【技術分野】
【０００１】
本発明は、ファン機構について改良を図ったダクト型空気調和機に関する。
【背景技術】
【０００２】
従来のダクト型空気調和機については、１枚のファンパネルにモータやファン等の機構部品を取り付けることで、ファンパネルの組部品とする技術があり、ファンパネルを基準として、機構部品の芯だしや部品の一括した取り付け／取り外しを行っていた。
【発明の概要】
【発明が解決しようとする課題】
【０００３】
ところが、大型のダクト型空気調和機では、機構部品を１つのファンパネルに取り付けてしまうと、重量が大きくなって、１人では扱えなくなり、組立性が悪化する。また、１つの部品を交換する場合においても、ファンパネルを取り外す必要があり、重量物扱い時の危険性や、作業スペースの確保などのサービス性も悪くなる。
【０００４】
本発明の目的は、ファンパネルを複数個に分割することで、上記の組立性およびサービス性の問題を解消したダクト型空気調和機を提供することである。
【課題を解決するための手段】
【０００５】
上記目的を達成するために、請求項１にかかる発明は、吹出開口と吸込開口を有する筐体と、前記吹出開口を囲むように吹出ダクト取付枠が外側に取り付けられた前記筐体の前面板と、該前面板の内側にファンパネルを介して装着されたファン機構と、前記吸込開口を囲むように吸込ダクト取付枠が外側に取り付けられた前記筐体の背面板と、該背面板の内側に装着された熱交換機とを少なくとも備えたダクト型空気調和機において、前記ファン機構は、前記ファンパネルを複数個に分割した分割ファンパネルと、該各分割ファンパネルに取り付けられたモータと、前記分割ファンパネルの内側に位置し前記モータにより駆動されるファンとを有する複数のファンユニットからなり、前記それぞれの分割ファンパネルを前記前面板の内側に装着することで、前記複数のファンユニットが前記前面板の前記吹出開口の内側に取り付けられることを特徴とする。
請求項２にかかる発明は、請求項１に記載のダクト型空気調和機において、前記複数のファンユニットは、前記モータや前記ファン等の構成部品が同一であることを特徴とする。
請求項３にかかる発明は、請求項１または２に記載のダクト型空気調和機において、前記各ファンユニットの前記モータは、前記分割ファンパネルの背面にモータ支持体により取り付けられていることを特徴とする。
請求項４にかかる発明は、請求項１乃至３のいずれか１つに記載のダクト型空気調和機において、前記吹出開口を吸込開口に置き換え、前記吸込開口を吹出開口に置き換え、前記吹出ダクト取付枠を吸込ダクト取付枠に置き換え、前記吸込ダクト取付枠を吹出ダクト取付枠に置き換えたことを特徴とする。
【発明の効果】
【０００６】
本発明によれば、重量が重いモータを必要とするファン機構を、複数に分割された分割ファンパネルごとの複数のファンユニットで構成しているので、全体形状が小型化され、個々のファンユニットの総重量を大幅に削減できる。この結果、その取り扱いが容易となり、組み立てが容易となる。また、必要な金型が小型化でき、初期投資も削減できる。また、故障修理の際には、複数のファンユニットのうちの故障した側を、前面板から取り外して修理すれば済み、保守サービスも容易となる。
【図面の簡単な説明】
【０００７】
【図１】本発明の実施例のダクト型空気調和機の斜視図である。
【図２】同ダクト型空気調和機の天面板と左側板を取り外した状態の斜視図である。
【図３】同ダクト型空気調和機の右側板と電装品箱を取り外した状態の天地逆姿勢の部分斜視図である。
【図４】同ダクト型空気調和機の内部のファンユニット部分の天地逆姿勢の斜視図である。
【図５】同ダクト型空気調和機の前面板に対するファンユニット組立ての分解斜視図である。
【図６】同ダクト型空気調和機のモータ支持枠に対するスペーサの組立ての分解斜視図である。
【図７】同ダクト型空気調和機のファンパネルの姿勢保持の機構部分の説明図である。
【発明を実施するための形態】
【０００８】
図１において、１００は筐体であり、前面板１１０と、背面板１２０と、電装品箱２００が取り付けられる右側板１３０と、左側板１４０と、天面板１５０と、底面板１６０とを備える。
【０００９】
前面板１１０には、例えば図５に示すように、横方向に分離して並んだ吹出開口１１１Ａ，１１１Ｂを一体として囲むように、吹出ダクト取付枠１１２が取り付けられている。そして、その前面の上部両端部には、吊金具１７０が取り付けられている。また、内側には、吹出開口１１１Ａ，１１１Ｂのそれぞれの両側に内側が相対向するようにＬ字形状に曲折したそれぞれ１対の縦レール１１３が取り付けられ、さらに、各吹出開口１１１Ａ，１１１Ｂの下部の両端に、パネル受け１１４が取り付けられている。このパネル受け１１４は、若干後方に開いた斜面部１１４ａと枠形状のストッパ部１１４ｂを有する。
【００１０】
背面板１２０は、例えば天地逆姿勢の図３に示すように、熱交換機３００のフィン部分３０１が露出する吸込開口１２１を囲むように、吸込ダクト取付枠１２２が取り付けられている。そして、その背面板１２０の上部両端部（天地逆の図３では下部）には、吊金具１７０が取り付けられている。
【００１１】
４００Ａ，４００Ｂは、互いに独立した同一構成のファンユニットであり、ファン機構を構成する。このファンユニット４００Ａ，４００Ｂは、例えば図２〜図５等に示すように、ファンパネル４１０と、そのファンパネル４１０の背面に取り付けられたモータ支持体４２０と、そのモータ支持体４２０に組み込まれた直流モータ４３０と、その直流モータ４３０の出力軸が回転軸として働くファン４４０と、そのファン４４０の吹出方向以外を囲むファンカバー４５０と、モータ支持体４２０に取り付けられ組立／運搬時に機能するスペーサ４６０とを備える。
【００１２】
ファンパネル４１０は、従来は１枚の仕切板に直接固定していた２個のファン用として、ファン毎に仕切板から分離して２個に分割したファンパネル（分割ファンパネル）であり、ファン４４０に対向する位置に形成された吹出口４１１と、その吹出口４１１の横の内側に取り付けられた補強板４１２と、両側の上端に内側方向に曲折して形成された押当片４１３と、上端の両端以外を内側に曲折して形成されたハンドル用の手掛片４１４を備える。吹出口４１１は、前面板１１０の吹出開口１１１Ａ，１１１Ｂの内に収まる大きさである。補強板４１２は、ファンパネル４１０の当該部分を補強するためであり、その補強板４１２にモータ支持体４２０が取り付けられる。
【００１３】
モータ支持体４２０は、図６に示すように、板金をコ字形状に折り曲げることで形成され、スペーサ４６０を取り付けるスペーサ取付面４２１と底片４２２と側片４２３を有する。これらスペーサ取付面４２１と底片４２２と側片４２３には、ファン４４０による風流通を妨げないように、風穴４２１ａ，４２２ａ，４２３ａが形成され、側片４２３にはモータ４３０を取り付けるための取付穴４２３ｂが形成されている。さらに、スペーサ取付面４２１と底片４２２と側片４２３の共通の端部を外側に折り曲げることにより、ファンパネル４１０への取付片４２１ｂ，４２２ｂ，４２３ｃが形成されている。また、スペーサ取付面４２１と底片４２２と側片４２３の端部や風穴の周囲には折り曲げによる補強リブが形成されている。また、スペーサ取付面４２１の補強リブ４２１ｃの折曲部には、スペーサ４６０の位置決め用のほぼ三角錐形状の突起４２１ｄが形成されている。
【００１４】
このモータ支持体４２０をファンパネル４１０の内側に取り付けるには、そのファンパネル４１０の内側に予め取り付けられた補強板４１２に対して、取付片４２１ｂ，４２２ｂ，４２３ｃの部分をねじ４７１によって取り付ける。これにより、モータ支持体４２０はファンパネル４１０の内側に対して奥方向に突出する姿勢で取り付けられるので、そのモータ支持体４２０にモータ４３０を搭載したときは、ファンパネル４１０に大きな変形荷重が加わるが、補強板４１２によってファンパネル４１０当該領域の板厚が２倍となっているので、その荷重を十分受け止めることができる。
【００１５】
ファンカバー４５０は、ファン４４０に接触しないように、ファンパネル４１０の内側にねじ（図示せず）で取り付けられる。このファンカバー４５０には、ファンパネル４１０の吹出口４１１に対応する位置に同様の吹出口が形成されている。
【００１６】
スペーサ４６０は、図６に示すように、板金をコ字形状に折り曲げることで形成され、頂片４６１と側片４６２，４６３を有する。その頂片４６１は、天面板１５０を取り付けるとそこに当接する。このスペーサ４６０には、両側片４６２，４６３に、ファン４４０による風流通を妨げないように、風穴４６２ａ，４６３ａが形成されている。そして、両側面４６２、４６３の下端を内側に折り曲げることにより、モータ支持体４２０のスペーサ取付面４２１への取付片４６２ｂ、４６３ｂが形成されている。また、側片４６３の取付片４６３ｂの折曲部には、スペーサ４６０をモータ支持体４２０に取り付ける際の位置決め用のほぼ三角形の穴４６３ｃが形成されている。
【００１７】
モータ支持体４２０に対してスペーサ４６０を取り付けるには、スペーサ４６０の位置決め用の穴４６３ｃにモータ支持体４２０のスペーサ取付面４２１の位置決め用の突起４２１ｄがはめ込まれるように位置合わせをすることで、両者間の位置決めが完了するので、図６に示すように、ねじ４７２によって、スペーサ４６０の取付片４６２ｂ、４６３ｂをモータ支持体５２０のスペーサ取付面４２１に固着する。
【００１８】
ファンユニット４００Ａ，４００Ｂは、図５に示すように、個々に予め組み立てられた後、手掛片４１４に指をかけてから、その両側の縁をそれぞれ、前面板１１０の内側に設けられた対向する縦レール１１３にガイドさせ、上から下方に落し込むことで、前面板１１０の内側に装着される。
【００１９】
このとき、ファンパネル４１０の下縁が、パネル受け１１４の斜面部１１４ａに乗って前方に滑ってから、ストッパ部１１４ｂに落ち込む。また、図７に示すように、ファンパネル４１０の上端両側の押当片４１３が縦レール１１３の内側に入り込むことによって、そのファンパネル４１０の全体が前方の前面板１１０に押し当てられる。そして、ねじ４７３によって、前面板１１０の内側に各ファンパネル４１０を固着することにより、前面板１１０に対してファンユニット４００Ａ，４００Ｂが組み立てられる。このため、図１、図２に示すように、吹出開口１１１Ａ，１１１Ｂから、ファンユニット４００Ａ，４００Ｂの吹出口４１１およびその奥のファン４４０が露出するようになる。
【００２０】
このように、重量が比較的重いモータを必要とするファン機構を、２個に分割したファンパネルごとの同一のファンユニット４００Ａ，４００Ｂにより構成しているので、１個のモータと２個のファンで同等の排気能力を発揮させるファンユニットを構成する場合と比べて、全体形状が小型化され、個々のファンユニットの総重量を半分に削減できる。この結果、その取り扱いが容易となり、組み立てが容易となる。また、必要な金型が小型化でき、初期投資も削減できる。また、故障修理の際には、ファンユニット４００Ａ，４００Ｂのうちの故障した側を、ねじ４７３を取り外し、手掛片４１４に指を掛けて引き上げることで前面板１１０から取り外し、修理すれば済み、保守サービスも容易となる。
【００２１】
さらに、ファンユニット４００Ａ，４００Ｂを前面板１１０の内側に装着する際には、前面板１１０の両側の縦レール１１３の上方から、縦レール１１３をガイドとしてファンユニット４００Ａ，４００Ｂのファンパネル４１０を下縁がパネル受け１１４に当たるまで挿入するとともに、ファンパネル４１０の押当片４１３を縦レール１１３の内側に入れれば済むので、ファンユニット４００Ａ，４００Ｂを前面板１１０の内側に装着する作業が簡単となる。そして、ファンパネル４１０は、前面板１１の内側に押し当てられた状態で正規位置に装着されるので、前面板１１０のねじ穴とファンパネル４１０のねじ穴が自然と合致し、ねじ４８３の挿入締め付け作業が容易となる。
【００２２】
さらに、ダクト型空気調和機は、組立て時やその組み立てが完了した後の搬送時には、天地を逆姿勢にする場合があるが、このような姿勢で何らかの原因で落下事故が発生すると、ファンユニット４００Ａ，４００Ｂのモータ４３０の重量によって、大きな衝撃荷重がファンパネル４１０にかかり、モータ支持体やファンパネル４１０に変形が生じ、モータ４３０の軸とファン４４０の軸に狂いが生じる恐れがある。この点について、本実施例では、モータ支持体４２０のスペーサ取付面４２１にスペーサ４６０を取り付けているので、図４に示すように、そのスペーサ４６０がモータ支持体４２０と天面板１５０との間に介在し、その衝撃荷重をスペーサ４６０と天面板１５０が受け止めるため、モータ支持体やファンパネル４１０に変形が発生することを回避することができ、モータ４３０の軸とファン４４０の軸に狂いが生じることを回避できる。
【００２３】
なお、搬送時の姿勢も、設置時と同様に、底面板１６０が底面となるようにする場合は、スペーサ４６０をモータ支持体４２０の底面板１６０の側に取り付け、スペーサ４６０がモータ支持体４２０を底面板１６０に対して支持するようにすれば、同様に落下事故に対する保護が完全となる。
【００２４】
また、以上説明した実施例は、ファンユニット４００Ａ，４００Ｂの作用によって、背面板１２０から吸い込んだエアーに対して熱交換機３００で熱交換を行って前面板１１０から吐き出すようにした例で説明したが、ファンユニット４００Ａ，４００Ｂの作用によって、前面板１１０から吸い込んだエアーに対して熱交換機３００で熱交換を行って背面板１２０から吐き出すようにしてもよいことはもちろんである。このとき、吹出開口１１１Ａ，１１１Ｂは吸込開口となり、吸込開口１２１は吹出開口となる。また、吹出ダクト取付枠１１２は吸込ダクト取付枠となり、吸込ダクト取付枠１２２は吹出ダクト取付枠となる。
【符号の説明】
【００２５】
１００：筐体
１１０：前面板、１１１Ａ，１１１Ｂ：吹出開口、１１２：吹出ダクト取付枠、
１１３：縦レール、１１４：パネル受け、１１４ａ：斜面部、１１４ｂ：ストッパ部
１２０：背面板、１２１：吸込開口、１２２：吸込ダクト取付枠
１３０：右側板
１４０：左側板
１５０：天面板
１６０：底面板
１７０：吊金具
２００：電装品箱
３００：熱交換機、３０１：フィン
４００Ａ，４００Ｂ：ファンユニット
４１０：ファンパネル、４１１：吹出口、４１２：補強板、４１３：押当片、４１４：手掛片
４２０：モータ支持体、４２１：スペーサ取付面、４２２：底片、４２３：側片、
４２１ａ，４２２ａ，４２３ａ：風穴、４２３ｂ：モータ取付穴、
４２１ｂ，４２２ｂ，４２３ｃ：取付片、４２１ｃ：補強リブ
４３０：直流モータ
４４０：ファン
４５０：ファンカバー
４６０：スペーサ、４６１：頂片、４６２，４６３：側片、４６２ａ，４６３ａ：風穴、
４６２ｂ，４６３ｂ：取付片
４７１〜４７３：ねじ
【図１】
2011122780.tif 000003
【図２】
2011122780.tif 000004
【図３】
2011122780.tif 000005
【図４】
2011122780.tif 000006
【図５】
2011122780.tif 000007
【図６】
2011122780.tif 000008
【図７】
2011122780.tif 000009